(57)【要約】【課題】  デジタル、アナログの両方の放送に対応し、また、ユーザがＣＭを視聴するように促すコマーシャル放送システム及び録画再生装置を提供する。【解決手段】  放送装置１００は放送番組の映像信号及び／又は音声信号、及び前記の放送番組途中に挿入されるコマーシャルの映像信号及び／又は音声信号にそれぞれ特定のＩＤを更新しながら埋め込んで放送し、録画再生装置２００は放送を受信して録画、再生し、再生中のＩＤを検出して更新状態に基づいてコマーシャルが再生されているか否かを判断し、再生されていない場合にそのコマーシャルの後の番組の再生品質を劣化させる。【選択図】  図５
2006108822.tif 000002
【特許請求の範囲】
【請求項１】
放送番組の映像信号及び／又は音声信号、及び前記放送番組途中に挿入されるコマーシャルの映像信号及び／又は音声信号にそれぞれ特定のＩＤを更新しながら埋め込んで放送する放送手段を有する放送装置と、
前記放送装置の放送を受信して録画、再生し、再生中の前記ＩＤを検出して更新状態に基づいて前記コマーシャルが再生されているか否かを判断する判断手段と、
前記判断手段により前記コマーシャルが再生されている場合に、そのコマーシャルの後の番組を第１の再生方法で再生する第１の再生手段と、
前記判断手段により前記コマーシャルが再生されていない場合に、そのコマーシャルの後の番組を第２の再生方法で再生する第２の再生手段とを有する録画再生装置とを、
有するコマーシャル放送システム。
【請求項２】
放送番組の映像信号及び／又は音声信号、及び前記放送番組途中に挿入されるコマーシャルの映像信号及び／又は音声信号にそれぞれ特定のＩＤを更新しながら埋め込んで放送するコマーシャル放送システムに用いられる録画再生装置であって、
前記放送を受信して録画、再生する録画再生手段と、
前記録画再生手段により再生された再生信号中の前記ＩＤを検出して更新状態に基づいて前記コマーシャルが再生されているか否かを判断する判断手段と、
前記判断手段により再生されていると判断された場合に、そのコマーシャルの後の番組を第１の再生方法で再生する第１の再生手段と、
前記判断手段により再生されていないと判断された場合に、そのコマーシャルの後の番組を第２の再生方法で再生する第２の再生手段とを、
有する録画再生装置。
【請求項３】
前記録画再生手段は、受信したデジタル放送信号又はダビング元から外部入力端子を介して入力されたデジタル放送信号を録画、再生するデジタル録画再生手段であって、
受信したデジタル放送信号を暗号化して前記デジタル録画再生手段に印加する暗号化手段と、
前記デジタル録画再生手段に録画されている暗号化デジタル放送信号を再生してダビング先に出力する手段と、
前記デジタル録画再生手段から再生されるデジタル放送信号を逆暗号化して前記判断手段及び前記第２の再生手段に印加する逆暗号化手段とを、
さらに有する請求項２に記載の録画再生装置。
【請求項４】
アナログ放送信号をダビング先に出力するか否かをユーザが選択する選択手段と、
前記アナログ放送信号を出力する際、前記ダビング先に出力しないことが選択されている場合に、前記判断手段及び前記第２の再生手段の動作をオンにするとともに前記アナログ放送信号にコピープロテクション信号を付加して出力し、前記ダビング先に出力することが選択されている場合に、前記判断手段の動作をオフにし、前記第２の再生手段の動作をオンにするとともに、前記アナログ放送信号には前記コピープロテクション信号を付加しないで出力する制御手段とを、
さらに有する請求項２又は３に記載の録画再生装置。
【発明の詳細な説明】
【技術分野】
【０００１】
本発明は、コマーシャル放送システム及び録画再生装置に関する。
【背景技術】
【０００２】
番組途中にコマーシャル（以下、ＣＭと記す）提供を伴うＴＶ放送は、以下の連鎖によりビジネスモデルが成り立っていた。
（１）ＣＭ提供者が放送局に番組費用を支出する。
→（２）放送局がＣＭ付きで無料放送を行う。
→（３）視聴者がＣＭを視聴し認知することで、ＣＭ提供者の商品を購入する。
→（４）ＣＭ提供者は利益を得て、次の番組費用を支出する。→（１）へ戻る。
【０００３】
しかし、受信機器の発達に従って、ユーザは視聴時にＣＭを見なくなるという傾向が次第に強くなってきている。すなわちＣＭの無効化が進んでいる。そこで、この問題に対する解決策として下記の特許文献１、２に開示されているものがある。特許文献１では、デジタルＴＶ放送局からは、制御情報を含むコマーシャルデータをデジタル放送信号に乗せて送信し、コマーシャルデータをカットした視聴者には、制御情報がカットされて放送番組の利用を制限する方法が提案されている。特許文献２では、ＣＭ再生を検出して視聴者に特典を与える受信装置が提案されている。
【特許文献１】特開２００３−２７３８１９号公報（要約書、段落００１６、００８４）
【特許文献２】特開２００３−４６９８６号公報（要約書）
【発明の開示】
【発明が解決しようとする課題】
【０００４】
しかしながら、上記従来例では、本質的な課題は解決せず、共に上記の連鎖を促すのではなく、むしろ逆効果を生み出していた。
＜特許文献１＞
・デジタル放送に技術が限定されていた点。いまだ世界中でアナログ放送が主流であり、切り替えには１０年を要するという見方もある。デジタル放送の受信に際してＣＭを視聴しないとユーザに不利があり、アナログ放送では従来通りとすれば、ユーザは当面アナログ放送の方が得と判断し、結果的にデジタル放送の普及の妨げとなってしまう可能性が高い。
・番組利用を制限する点。番組最後の懸賞応募を行えなくする例（段落００８４）が述べられているが、ユーザが何らかの理由で番組途中からしか見ることのできない場合もあり、一様に制限を加える特許文献１の技術は、ユーザの利益の公平性を著しく欠く。その結果、ユーザの反発が予想され、ＣＭ提供者にとっても逆効果と言える。また旧来の受信機器ではこのような仕様制限が無いことから、ユーザの既得権を奪うものであり、当面旧機器の方が得と判断し、新機器普及の妨げとなってしまう可能性が高い。すなわち、ユーザに利が無い。
【０００５】
＜特許文献２＞
・受信装置のみで処理を行っている点。ＣＭ再生を検出して特典ポイントに置き換え自動的に累積するので、ユーザが実際に放送を見ていなくとも、受信機をつけっぱなしにしておけば自動的にポイントがたまる（＝サービスを受ける）ことを意味する。この場合、ユーザはＣＭを見ていないにもかかわらず、ＣＭ提供者あるいは放送局は、そのユーザに一方的にサービスを提供しなければいけない。すなわち新たな損失を産んでしまい、効果は期待できない。
・ユーザが再生を繰り返せばポイントが増えるので、ユーザがあるＣＭ固有の特典を求めるならば、上記と同じく受信機を再生のままにしておき、記録の最後まで来たら最初に戻して再度ＣＭを再生すれば、視聴者が見ていなくても同じ録画番組にて何度もポイントが溜まってしまう。よって効果は期待できない。すなわち、ＣＭ提供者、放送者に利が無い。
【０００６】
すなわち、特許文献１のように、従来と比較して「ユーザにとって何かしらのマイナスが生じる仕組み」は、ユーザの購入動機につながらず、本来の効果は期待できない。また特許文献２のように、「ユーザが能動的に介入しない仕組み」も、仕組みの抜け穴につながり、結果的に本来の効果は期待できない。すなわち、ＣＭの無効化を防ぐ方法は、本来成立していた上記ビジネスモデルの（１）から（４）の連鎖を強化するような仕組みでなければならない。さらに、現行のアナログ放送、デジタル放送の両方に応用できなければならない。
【０００７】
さらに、近年ではＨＤＤレコーダが普及しているが、ＨＤＤレコーダではディスクを記録媒体とするので、ＶＴＲのようなテープ媒体と異なり、番組間のＣＭを全く再生することなく次の番組にジャンプして再生することができ、したがって、ＣＭ提供者、放送者に利が無い。このため、ＣＭ提供者／放送者／視聴者のすべてが従来にない新しい利益を得ることができ、視聴者が再生時にＣＭを見ない場合に被る不利益を、経験的に理解できる範囲にとどめることにより、視聴者の従来からの既得権を保ち、かつ、ＣＭを見ることを積極的に促す手法を併用することにより、無料放送本来のビジネスモデルを強固にすることが望まれる。
【０００８】
本発明は上記従来例の問題点に鑑み、デジタル、アナログの両方の放送に対応することができるとともに、ユーザがＣＭを視聴するように促すことができるコマーシャル放送システム及び録画再生装置を提供することを目的とする。
【課題を解決するための手段】
【０００９】
本発明のコマーシャル放送システムは上記目的を達成するために、
放送番組の映像信号及び／又は音声信号、及び前記放送番組途中に挿入されるコマーシャルの映像信号及び／又は音声信号にそれぞれ特定のＩＤを更新しながら埋め込んで放送する放送手段を有する放送装置と、
前記放送装置の放送を受信して録画、再生し、再生中の前記ＩＤを検出して更新状態に基づいて前記コマーシャルが再生されているか否かを判断する判断手段と、
前記判断手段により前記コマーシャルが再生されている場合に、そのコマーシャルの後の番組を第１の再生方法で再生する第１の再生手段と、
前記判断手段により前記コマーシャルが再生されていない場合に、そのコマーシャルの後の番組を第２の再生方法で再生する第２の再生手段とを有する録画再生装置とを、
有する。
【００１０】
本発明の録画再生装置は上記目的を達成するために、
放送番組の映像信号及び／又は音声信号、及び前記放送番組途中に挿入されるコマーシャルの映像信号及び／又は音声信号にそれぞれ特定のＩＤを更新しながら埋め込んで放送するコマーシャル放送システムに用いられる録画再生装置であって、
前記放送を受信して録画、再生する録画再生手段と、
前記録画再生手段により再生された再生信号中の前記ＩＤを検出して更新状態に基づいて前記コマーシャルが再生されているか否かを判断する判断手段と、
前記判断手段により再生されていると判断された場合に、そのコマーシャルの後の番組を第１の再生方法で再生する第１の再生手段と、
前記判断手段により再生されていないと判断された場合に、そのコマーシャルの後の番組を第２の再生方法で再生する第２の再生手段とを、
有する。
【発明の効果】
【００１１】
本発明によれば、放送番組の映像信号及び／又は音声信号、及び前記の放送番組途中に挿入されるコマーシャルの映像信号及び／又は音声信号にそれぞれ特定のＩＤを更新しながら埋め込むので、デジタル、アナログの両方の放送に対応することができ、また、録画再生時にスキップ、サーチによりＣＭが再生されない場合に番組の再生品質を劣化させるので、ユーザがＣＭを視聴するように促すことができる。
【発明を実施するための最良の形態】
【００１２】
＜第１の実施の形態＞
以下、図面を参照して本発明の実施の形態について説明する。図１は本発明に係る放送装置１００の第１の実施の形態を示すブロック図である。送信側にてＩＤを放送に挿入する手法と、受信側にて再生時に品質低下を施す処理の組み合わせによって実施される。図１は放送側の処理例を示し、アナログ放送とデジタル放送は、伝送方式が異なるので放送送信機器５の内容は大きく異なるが、処理、ブロック図としては共通で考えることができる。太線で記されたブロックが本実施の形態によって従来の放送装置に追加される処理を示す。放送局では一般にカメラ１やＶＴＲなどの番組サーバ２によって番組内容が構成され、その合間にＣＭサーバ３からあらかじめ決められた時間に決められた順序でＣＭが流される。両者は切り替え部（ＳＷ）４によって切り替えられ、選択された内容は放送送信機器５を経て送信される。
【００１３】
ここで、番組サーバ２、ＣＭサーバ３、ＳＷ４の制御はあらかじめスケジュールが決められており、スケジュール管理機器６がつかさどっている。このように、すべてのＣＭスケジュールはあらかじめ決められているため、そのＣＭを特定するＩＤの内容や発生スケジュールもあらかじめ決めることができる。この処理を行うのがＩＤ制御管理器１１で、スケジュール管理機器６と連動して動作する。このＩＤ制御管理器１１の制御により、ＩＤ発生器７はＣＭ内容に応じて特定のＩＤを発生し、電子透かし挿入器１０にて所定のタイミングでＩＤをＣＭ及び本編に挿入する。本実施の形態は、電子透かしの方式については問わない。
【００１４】
ＩＤと、ＣＭ、番組本編の関係を図２に示す。前、中、後をＣＭ２−１、２−２、２−３に挟まれた番組があり、番組内容はＣＭ２−２によって番組２−１、番組２−２とに別れている。ＣＭ時のみＳＷ４は図１のＢ（ＣＭサーバ３の出力）を選択する。あるＣＭと、次のＣＭまでに続く番組本編を１つのユニットと見なし、ＣＭ２−１と本編２−１にはＩＤ２−１を、ＣＭ２−２と本編２−２にはＩＤ２−２を挿入する。ＣＭ２−３については、番組２−１／２−２に属するため、時間的に番組２−２の終了後だがＩＤ２−２を適用する。なお、ＣＭ３区間のように、ＣＭ提供者の意思によってＩＤが無い場合もある。
【００１５】
実際のＩＤ発生とＣＭの詳細な時間関係を図３に示す。ここでは例として、図２内のＣＭ２−２から始まるユニットを説明する。ＣＭ２−２は４つの個別ＣＭ２−２−１、ＣＭ２−２−２、ＣＭ２−２−３、ＣＭ２−２−４から構成される。ＣＭ２−２以降を特定するＩＤ２−２は、４bitで最上位ビットから１０１１である。これを１ビットごとに分割し、各個別ＣＭ２−２−１、ＣＭ２−２−２、ＣＭ２−２−３、ＣＭ２−２−４ごとに最上位ビットから時間の順に挿入する。加えて、ＩＤの更新を表す２ビットの更新区間データが別途あり、時間の順に００、０１、１０、１１で表される。その結果、各個別ＣＭ２−２−１、ＣＭ２−２−２、ＣＭ２−２−３、ＣＭ２−２−４区間に挿入されるＩＤは、００１、０１０、１０１、１１１の各３ビットとなる。一定区間のＣＭ２−２内にデータを分割して送信することにより、受信側でＣＭ２−２全体を再生しないとＩＤ２−２全体が得られず、かつ更新処理が行われない。
【００１６】
次に図４にデジタル放送受信側の録画再生装置２００のブロック図を示す。太線で記されたブロックが本実施の形態により従来の装置に追加される処理である。放送信号入力は、チューナなどの受信インタフェース２０１、デコーダなどの信号処理部２０２、品質劣化処理部２０９（図６参照）、画面上のチャンネル表示などユーザインタフェースとなるオン・スクリーン・ディスプレイ（ＯＳＤ）２０７を経て出力される。アナログ放送用であれば、受信インタフェース２０１内にアナログ／デジタル変換エンコード処理を含む以外、他は同じブロックで構成することができる。また放送記録・再生機能としてＨＤＤやＤＶＤのようなデジタル記録デバイス２０３を持つ。またデジタルダビング用にデジタルインターフェース２０５を有する。
【００１７】
この処理構成は、デジタル記録デバイスを有する一般的な機器に共通している。この録画再生装置２００がセットトップボックス（ＳＴＢ）やＨＤＤレコーダ、ＤＶＤレコーダであれば、出力はＴＶに接続される。ＴＶであれば、ＯＳＤ２０７の後にＣＲＴなど出力デバイスが続く。図中のＸ点の信号はＭＰＥＧ２方式、デジタルダビング用のデジタルインターフェース２０５はＩＥＥＥ１３９４方式が一般的である。デコーダ信号処理部２０２の出力はビデオ／オーディオ信号であり、図１のＳＷ４の出力に信号形態が等しい。ここから分岐して電子透かし抽出部２０４に接続し、電子透かし抽出部２０４の出力としてＩＤを得る。一方、現在からさかのぼって以前に得られているＩＤ（過去のＩＤ）は、既に録画再生装置２００内の書き換え可能記録デバイス（図４、図８中では記録デバイスと記す。また以下では単にデバイスと記すこともある）２０８に蓄えられている。システム制御器２０６は、録画再生装置２００内の各処理を系統的につなぐもので、小型ＣＰＵで実行される。
【００１８】
受信側の実際の動作例を図４、図５、図６を使い、時間の流れに沿って説明する。
・本実施の形態は放送の録画・再生時の処理についての発明である。よって、図２、図３に示した放送内容は既にデジタル記録デバイス２０３（図４）に記録されているものとし、番組２−１の再生中（図５の時刻ｔｌ)の場合を述べる。記録に関しては、現行の機器と何ら処理は変わらない。
・まず、番組２−１を特定するＩＤ２−１＝０１１０は既に放送から取得済みで、書き換え可能記録デバイス２０８に蓄えられているものとする。デバイス２０８内には、ＩＤ２−１、ＩＤ１−４、及び以前に視聴したＩＤが蓄えられている。通常の放送視聴中は、システム制御器２０６は本発明に関わる動作を行わない。
【００１９】
・ここで、ＣＭ２−２を再生し、図３で説明したＩＤ２−２＋更新区間データの計１２ビットすべてを電子透かし抽出部２０４で読み取る（図５中の時刻ｔ２からｔ３）。読み取ったデータはシステム制御器２０６にて解析される。まず、更新区間を示すデータの存在から、当該再生信号がＣＭ区間であることを認識する。加えて、更新データと共に分割して送られたＩＤを合成し、ＩＤ２−２を生成する。ＣＭ２−２の終了時点ｔ３で、システム制御器２０６はデバイス２０８内のデータにＩＤ２−２を加え内容を更新する。ＣＭ２−２以降の番組本編２−２も同じＩＤ２−２が挿入されている。
・続く番組２−２の再生中、図５の時刻ｔ４にて、視聴者が番組の早送りサーチを行ったとする。早送りの際、システム制御器２０６は自身が特殊再生を行っていることを知り得る。その時点での再生信号から電子透かし抽出部２０４にてＩＤを抽出し、デバイス２０８内のＩＤ値と比較する。
【００２０】
・ケース１：ｔ４→ｔ５の早送りの場合は、番組２−２の区間内のため、現在のＩＤ＝デバイス２０８内のＩＤである。このときはＣＭを跨いでいないので通常再生と同様に、ＣＭ視聴を行ったことを認める。
・ケース２：ｔ４→ｔｌの早送り（巻き戻し）の場合は、番組２−１の区間だが、デバイス２０８内にＩＤ２−１があることから、現在のＩＤ＝デバイス２０８内のＩＤである。ＩＤ２−１の存在は、過去にＣＭ２−１を視聴したことを示す。よって、ＣＭ視聴を行ったものと認める。
・ケース３：ｔ４→ｔ６への早送りの場合は、ＣＭ２−３を見ることなく、番組３−１区間にサーチした場合である。デバイス２０８内にＩＤ２−２＝１０１１は無く、ＣＭ視聴をスキップしたことを意味する。システム制御器２０６はこれを検出し、図６に示すように、
（１）品質劣化処理部２０９を動作させる。この結果、出力画質音質は本来の品質に比較して劣化する。
（２）ＯＳＤ２０７にて、画面上に「ＣＭを見てください。」という旨の警告を出す。
この両者の処理を行うことを特徴とする。
【００２１】
（１）の劣化手法について述べる。手法は以下に示すように複数考えられる。
ａ）ローパスフィルタを通すことによって、画像の解像度を低下させる。
ｂ）再生機器内でランダムな信号＝ノイズを発生し、重畳する。
ｃ）信号振幅を下げる、あるいは上げることで、明るさや色の濃さを変える。
ｄ）遅延器を入れることで、画像の輪郭を表す白黒画像と色成分のタイミングをずらす。
ｅ）画像と同期信号との相対関係をずらすことで、ＴＶ画面上での画像位置をずらす。
ｆ）バンドパスフィルタを通すことによって、音質を電話の音のような品質に低下させる。
ｇ）音の大きさを小さくする。あるいは大きくする。
ｈ）遅延器を入れることで、画像と音声のタイミングをずらす。
【００２２】
ここでは、ａ）についての実施例を図６、図７に示す。図６、図７では、品質劣化処理部２０９として、輝度信号Ｙの高域をカットするＬＰＦを用い、出力画像をアナログＶＨＳ−ＶＣＲ並みの解像度とする。図７に、一般的なアナログＶＨＳとＭＰＥＧ２方式信号の水平周波数特性を示す。明確な画像輪郭を表すゲイン＝−３ｄＢでは、ＶＨＳの解像度＝ＭＰＥＧ２方式の解像度×１／４となり、細かな限界解像度を示すゲイン＝−２０ｄＢでは、ＶＨＳの解像度＝ＭＰＥＧ２方式の解像度×１／２となる。両者を比較すると、ＶＨＳ画像は輪郭の相当ボケた絵になることがわかる。ＣＭを視聴した場合はＭＰＥＧ２フル解像度が得られる。一方、ケース３の品質劣化処理部２０９が動作した場合は、ＬＰＦの周波数特性をＶＨＳと同様にすることで、大幅な帯域制限が行われ、著しい解像度低下＝画質劣化となる。
【００２３】
画質の劣化により視聴者は不利益を被るが、長年にわたり世界的に広く普及しているアナログＶＨＳ−ＶＣＲ並みの品質にとどめることで、視聴者の長年の慣れとしての既得権を保ち、経験的に不利益を理解できる範囲内であると言える。
【００２４】
次に、（２）の警告について述べる。警告はＣＭ視聴を促すのが主目的で、番組視聴を損なわせる目的ではない。したがって、視聴者がリモコンボタンを押すことで消えたり、一定時間経過後に自動で消えたりする配慮は必要となる。
【００２５】
本実施の形態の再生品質制御により、番組内にＣＭを伴うアナログ／デジタル両放送の再生を行う際に、ＣＭをスキップして番組を視聴した場合の視聴者に対する不利益として、再生画質・音質は本来の品質より著しく劣化した後に出力される。かつ、出力画面上にＣＭ視聴を促す警告が行われる。与える劣化の度合いを既知のアナログＶＣＲ並みとすることで、視聴者が番組内容を理解するのに十分、かつ視聴しない場合の不利益を両立できる。また発生する警告は、番組本編の視聴を大きく妨げないようにすることが望ましい。本発明の適用により、ＣＭを見ない場合の品質劣化や警告を通じて、視聴者に自主的なＣＭ視聴を促すことができる。
【００２６】
＜第２の実施の形態＞
図６では、再生品質制御処理はＴＶ画面への画像・音声出力に対して行われ、デジタルインターフェース２０５を用いるデジタルダビング信号に処理は行われない。よって第１の実施の形態では、例えばＨＤＤ（デジタル記録デバイス２０３）に一時蓄積した放送の再生の視聴時には効果があるが、ＨＤＤの内容をデジタルインターフェース２０５を介して外部、内部のＤＶＤなどへデジタルダビングする際には効果が望めない。そこで、第２の実施の形態では、第１の実施の形態に加えてデジタルダビングよる効果の無効化を防止する。
【００２７】
デジタル記録デバイス２０３への放送記録の際に、所定の手法で選択した放送信号の一部のデータを特定の暗号化の後に記録する。自身の再生の際には、同様の手法にて選択したデータを抽出し特定の逆暗号化の後に信号処理部２０２によりデコード処理を行い、第１の実施の形態と同様の結果を得る。デジタルインターフェース２０５を介したデジタルダビングの際は、暗号化された状態で記録信号はダビングされる。対応機器へのダビングの場合は、機器自身が逆暗号化の手法を知り得るため、ダビング後の再生時にも第１の実施の形態と同様の結果を得る。一方、未対応機器へのダビングの場合は、逆暗号化手法を知り得ないために、正常な再生画質音質を得ることができない。
【００２８】
図８のブロック図を参照して第２の実施の形態の録画再生装置７００について説明する。Ｘ点の受信インタフェース出力信号はＭＰＥＧ２方式であり、図４と同一の番号のブロックは同一の処理を行う。
・すべての対応する受信機器は、内部の書き換えできないメモリ（ＰＤ）７０１内に対応機器であることを示すランダムな８ビット(＝１バイト)の特定値ＰＤを、製造時に機器７００内に有する。
・ＰＤ判別処理部７０２にて、受信インタフェース２０１から出力されたＹ点の信号を１バイト単位ですべてチェックし、特定値ＰＤと同一か否かを判別する。信号がＭＰＥＧ２方式の放送にて典型的なデータレート４Ｍｂｐｓ(＝５００ｋバイト／秒)の場合を考える。特定値ＰＤは８ビット(＝２５６通り）であるから、信号中の不特定の１バイトが特定値ＰＤと同一である確率は１／２５６である。よって、４Ｍｂｐｓの信号中、特定値ＰＤと同一の１バイトが発生する１秒あたりの確率は、５００ｋ÷２５５＝約２０００回である。なお、ＰＤ結果判別出力にカウンタを持ち、暗号化の頻度を下げてもよい。
・特定値ＰＤと同一と判別した場合は、暗号化処理部７０３にて、続く１バイトの暗号化を行う。暗号化処理の最も簡単な例として、０／１を反対にするものがある。続く１バイトが再度特定値ＰＤと同じ場合は、更に次の１バイトの暗号化を行う。その結果、１秒間に約２０００回の暗号化を行う。
・暗号化後の信号をデジタル記録デバイス２０３に記録する。また暗号化後の信号はデジタルインターフェース２０５にも送られる。
・暗号化後の信号は、逆暗号化処理部７０５による逆暗号化の後にデコーダ信号処理部２０２へ送られる。第２のＰＤ判別処理部７０４にて特定値ＰＤと同一の信号を検知し、同一の場合は次の１バイトの逆暗号化処理部７０５による処理＝０／１を反対にする。
【００２９】
・これによって、図８中のＹ点とＺ点の信号は同一となり、第１の実施の形態の効果が有効となる。
・デジタル記録デバイス２０３に記録された番組、あるいは放送視聴中の番組は、Ｘ点にてすべて暗号化された信号としてデジタルインターフェース２０５を経由してダビング先へ送られる。前述のように、ダビング先の機器が本発明装置の対応機であれば同様にＰＤ判別処理部７０４、逆暗号化処理部７０５を有することから、第１の実施の形態の効果が有効となる。未対応機の場合は、暗号を解くことができず、ＭＰＥＧ信号の正規デコードが行われない。その結果、ブロックノイズ発生や音声が途切れるなどして画像や音声を楽しむことはできない。
【００３０】
・ダビング先は、外部機器でも同一筐体内の別の記録機器でもよい。
・ＭＰＥＧ２信号のデータの並びは、規格上の定義に基づいて決定している。データの並びを機器内で解析し、ある特定のデータに対してのみ上述の暗号化を行ってもよい。例えば音声データに対してのみ暗号化を行ったならば、未対応機での再生においても、音は聞こえないが画像のみは視聴可能となる。
・ＣＭを見ていない場合、第１の実施の形態で述べた品質劣化の一手段として、逆暗号化処理部７０５をオフしてもよい。その場合、機器出力にも上述のノイズや音途切れが加わる。
【００３１】
＜第３の実施の形態＞
第１、第２の実施の形態においては、ＣＭを見て再生する限りアナログ出力の品質劣化は行われない。アナログ接続した外部記録機器にアナログダビングする場合、外部機器がＣＭ再生直前に記録を一時停止し、かつＣＭ再生直後に記録を再開すれば、結果としてダビング後の信号はＣＭをスキップして前後がつながっていることに等しい。アナログダビングはデジタルダビングに比較して品質の劣化を伴うが、一般に図７に示すＶＨＳ画質ほど著しく低下するとは限らない。よってダビング結果は、第１の実施の形態の効果が無効となる可能性がある。
【００３２】
そこで、第３の実施の形態では、ユーザによって任意に、アナログ出力のダビングオン／オフを選択可能とする。オフ時には、第１の実施の形態と同様に、再生時にＣＭを見ない場合には品質が制御されるのに加えて、図９に示す録画再生装置８００のようにアナログコピープロテクション信号付加部８０１の処理が常時加わる。コピープロテクション信号の代表例として、マクロビジョン信号が挙げられる。オン時には、コピープロテクション信号は常時無効となるが、品質制御をＣＭを見る／見ないにかかわらず、常時有効とし、警告表示も出さない。その結果、アナログダビング後の品質は図７に示すＶＨＳ画質並みとなり、ＣＭをスキップしてダビングした際も第１の実施の形態の効果、有効性が保証される。
【００３３】
＜第４の実施の形態＞
第１の実施の形態では、ＩＤの分割された１単位の挿入時間については、ＣＭを全部見ることを前提としているため、時間分割する以外の制限を加えていない。一方、視聴者はアナログＶＨＳ−ＶＣＲの長年の使用を通してアナログ方式の早送りを知っている。そのスピードはＶＣＲによって異なるが、正負両方向に実時間の７倍速であるのが一般的である。１／７の時間圧縮で視聴するため、ＣＭの詳細は不明でも視聴者はＣＭの内容を一通り認識することができ、再度、通常再生で内容を確認することを行ってきた。第１の実施の形態で、ＣＭ全部を早送りせずに見なければならないことは、従来のアナログＶＨＳ−ＶＣＲを通じて得た視聴者の慣れ＝既得権を下回ることになり、本発明の普及へのネガティブ要因となる可能性がある。
【００３４】
そこで、第４の実施の形態では、図３において、画像にＩＤを入れる場合、全フレーム(３０フレーム／秒）に対してではなく、あるｎフレーム区間のみに挿入し、再生の早送りも最大ｎ倍速で行う。用いる電子透かし方式が、１フレームの画像に必要な最大情報量以上のデータを挿入可能で、かつ１フレーム内の情報のみでＩＤ抽出処理が可能な場合に限る。ここでは３ビット以上になる。
【００３５】
個別ＣＭ３０秒間（＝９００フレーム）中、ある連続する７フレームのみにＩＤを挿入した場合、再生機器がアナログＶＨＳ−ＶＣＲと同等の７倍速の早送り＝７フレームごとに再生したならば、７倍速がいかなるタイミングからスタートした場合でも、連続するＩＤの含まれた７フレーム中のどれか１フレーム画像を必ず再生することになる。すなわち、アナログＶＨＳ−ＶＣＲ並みの早送りサーチでもＣＭ中のＩＤを必ず抽出することが可能となり、ユーザは既得権を保ちつつ本編を楽しむことが可能となる。
【００３６】
本発明によれば、特許請求の範囲に記載された発明の他に、次の発明が提供される。
（１）前記ＩＤを、アナログ録画再生手段の一般的なサーチ速度で再生可能な周期で埋め込むことを特徴とする請求項１に記載のコマーシャル放送システム。
【図面の簡単な説明】
【００３７】
【図１】本発明の第１の実施の形態における放送装置を示すブロック図である。
【図２】本発明のＣＭ・ＩＤ及び番組ＩＤを示す説明図である。
【図３】本発明の個別ＣＭ・ＩＤを示す説明図である。
【図４】本発明の第１の実施の形態における録画再生装置を示すブロック図である。
【図５】本発明のＣＭ再生検出処理を示す説明図である。
【図６】図４の録画再生装置による再生品質制御を詳しく示すブロック図である。
【図７】図４の録画再生装置による再生画質制御を詳しく示す説明図である。
【図８】本発明の第２の実施の形態における録画再生装置を示すブロック図である。
【図９】本発明の第３の実施の形態における録画再生装置を示すブロック図である。
【符号の説明】
【００３８】
１  カメラ
２  番組サーバ
３  ＣＭサーバ
４  切り替え部（ＳＷ）
５  放送送信機器
６  スケジュール管理機器
７  ＩＤ発生器
１０  電子透かし挿入器
１１  ＩＤ制御管理器
１００  放送装置
２００、７００、８００  録画再生装置
２０１  受信インターフェース
２０２  （デコーダ）信号処理部
２０３  デジタル記録デバイス
２０４  電子透かし抽出部
２０５  デジタルインターフェース
２０６  システム制御器
２０７  オン・スクリーン・ディスプレイ（ＯＳＤ）
２０８  書き換え可能記録デバイス（記録デバイス）
２０９  品質劣化処理部
７０１  書き換えできないメモリ（ＰＤ）
７０２、７０４  ＰＤ判別処理部
７０３  暗号化処理部
７０５  逆暗号化処理部
８０１  アナログコピープロテクション信号付加部
【図１】
2006108822.tif 000003
【図２】
2006108822.tif 000004
【図３】
2006108822.tif 000005
【図４】
2006108822.tif 000006
【図５】
2006108822.tif 000007
【図６】
2006108822.tif 000008
【図７】
2006108822.tif 000009
【図８】
2006108822.tif 000010
【図９】
2006108822.tif 000011